(57)【要約】【課題】面付け印刷されたシートの組から丁合された冊子の状態の用紙束を、連続的にかつ高速で形成することができる装置を提供する。【解決手段】面付け印刷されたシートＳ０を供給する給紙部１と、シートを短冊状に裁断する第１の裁断部２と、短冊状シート部分Ｓ２を９０°方向転換させる第１の方向転換部３と、短冊状シート部分を、各１の頁面をもつ複数のサブシートＳ３に分割する第２の裁断部４と、裁断された短冊状シート部分を受け取り、９０°方向転換させる第２の方向転換部５、５ａと、サブシートを１枚づつ積み重ね、丁合された冊子１冊分のサブシートの組の積層体を形成するスタック部６を備える。制御部７は、給紙部の給紙動作が開始される毎に、初期情報及びシート情報に基づき、各短冊状のシート部分から形成されるべきサブシートの数を算出し、算出値とスタック部に送られるサブシートの数を比較して丁合エラーを検出する。【選択図】図１
2014201440.tif 000002
【特許請求の範囲】
【請求項１】
頁面が頁順に縦横方向に面付け印刷された複数枚のシートが積み重ねられたものからなるシートスタックから、順次シートを１枚づつ供給する給紙部と、
前記給紙部から供給されたシートを、当該シートの頁面の配列に沿った第１の方向に搬送しつつ前記第１の方向に沿って裁断し、それぞれ頁面が頁順に前記第１の方向に一列に配列された複数の短冊状のシート部分に分割する第１の裁断部と、
前記第１の裁断部から裁断されたシートを受け取り、短冊状のシート部分を１枚づつ前記第１の方向に直角な第２の方向に送り出す第１の方向転換部と、
前記第１の方向転換部から受け取った短冊状のシート部分を、前記第２の方向に搬送しつつ前記第２の方向に沿って裁断し、前記第２の方向に直角な方向に配列され、かつそれぞれ１の頁面を有する複数のサブシートに分割するとともに、短冊状のシート部分に空白頁面が含まれている場合には、当該複数のサブシートのうち空白頁面を有するサブシートを搬送路から除去する第２の裁断部と、
前記第２の裁断部からサブシートを受け取るたびに、前記第２の方向に直角な方向に順次送り出す第２の方向転換部と、
前記第２の方向転換部から受け取ったサブシートを１枚づつ順次積み重ねて、丁合された冊子１冊分のサブシートの組の積層体を形成するスタック部と、
前記給紙部、及び前記第１及び第２の裁断部、及び前記第１及び第２の方向転換部、及び前記スタック部の動作を制御する制御部と、
前記第２の裁断部の搬送路中、又は前記第２の方向転換部のサブシート入口に配置され、短冊状のシート部分又はサブシートの配列の通過を検出する第１のセンサーと、
前記第２の方向転換部の出口に配置され、サブシートの通過を検出する第２のセンサーと、を備え、
前記制御部は、前記給紙部の給紙動作の開始前に、前段の印刷装置から、シート１枚当たりの頁面数、及び１の短冊状のシート部分が有する頁面数に関する初期情報を受信するとともに、前記給紙部の給紙動作の際に、その都度、給紙されるシートが空白頁面を含むか否か、及び空白頁面のシート上の位置に関するシート情報を前記印刷装置から受信し、前記初期情報及び前記シート情報に基づき、給紙されるシートから形成されるべき各短冊状のシート部分の空白頁面を除く頁面の数を算出し、前記第１のセンサーから検出信号を受信するたびに、前記第２のセンサーからの検出信号に基づいて前記第２のセンサーを通過するサブシートの数をカウントし、当該カウント値が対応する前記短冊状のシート部分の空白頁面を除く頁面の数と一致しないときは、前記給紙部、及び前記第１及び第２の裁断部、及び前記第１及び第２の方向転換部、及び前記スタック部の動作を停止させるものであることを特徴とするシート裁断及び丁合装置。
【発明の詳細な説明】
【技術分野】
【０００１】
本発明は、それぞれ複数の頁面が頁順に縦横方向に面付け印刷された複数枚のシートを頁面の配列方向に裁断して、それぞれが各１の頁面を有する複数枚のサブシートに分割し、それらのサブシートを丁合した状態で集積するシート裁断及び丁合装置に関するものである。
【背景技術】
【０００２】
従来、冊子の製造は、例えば、それぞれ複数の頁面が頁順に縦横方向に面付け印刷された冊子１冊分の全紙サイズのシートの組を必要部数形成し、次いで、各シートを折り機を用いて折り畳んで折り丁とし、同じ種類の折り丁毎に集積したものを中綴じ機の対応する給紙棚にセットし、その後、各給紙棚から順次折り丁を１つずつ丁合機構に供給して各折り丁を頁順に重ね合せ、冊子１冊分の用紙束を形成するたびに、その都度、用紙束を中綴じ折りし、その後、中綴じ折りした用紙束を三方断裁機によって所定サイズに裁断することによってなされていた（例えば、特許文献１参照）。
【０００３】
しかし、この冊子製造法によれば、折り機を用いた折り丁形成工程と、中綴じ機を用いた中綴じ工程とが分断されてしまうので、生産効率が良くなかった。
【０００４】
また、従来技術においては、上記の方法の代わりに、それぞれ複数の頁が頁順に縦横方向に面付け印刷された冊子１冊分の全紙サイズのシートの組を必要部数形成するとともに、同じ種類のシート毎にシート積層体を形成し、各シート集積体を断裁機を用いて頁面毎に断裁して、それぞれ異なる頁面を有する複数のサブシート集積体に分割し、次いで、各サブシート集積体を頁順に丁合機の給紙棚に積載した後、丁合機を用いてサブシートを丁合することで１冊分のサブシートの組を順次形成し、当該サブシートの組を後続の製本工程に送ることによって冊子を製造する方法があった（例えば、特許文献２参照）。
【０００５】
しかし、この方法によれば、全紙サイズのシートの積層体を裁断する工程と、丁合機による丁合工程及びその後続の製本工程とが分断されてしまうので、前記従来法と同様、生産効率が良くなかった。
【先行技術文献】
【特許文献】
【０００６】
【特許文献１】特開２０１０−２０８８５７号公報
【特許文献２】特開２００３−２１１８６５号公報
【発明の概要】
【発明が解決しようとする課題】
【０００７】
したがって、本発明の課題は、面付け印刷されたシートの組から丁合された冊子の状態の用紙束を、連続的にかつ高速で形成することができる装置を提供することにある。
【課題を解決するための手段】
【０００８】
上記課題を解決するため、本発明によれば、頁面が頁順に縦横方向に面付け印刷された複数枚のシートが積み重ねられたものからなるシートスタックから、順次シートを１枚づつ供給する給紙部と、前記給紙部から供給されたシートを、当該シートの頁面の配列に沿った第１の方向に搬送しつつ前記第１の方向に沿って裁断し、それぞれ頁面が頁順に前記第１の方向に一列に配列された複数の短冊状のシート部分に分割する第１の裁断部と、前記第１の裁断部から裁断されたシートを受け取り、短冊状のシート部分を１枚づつ前記第１の方向に直角な第２の方向に送り出す第１の方向転換部と、前記第１の方向転換部から受け取った短冊状のシート部分を、前記第２の方向に搬送しつつ前記第２の方向に沿って裁断し、前記第２の方向に直角な方向に配列され、かつそれぞれ１の頁面を有する複数のサブシートに分割するとともに、短冊状のシート部分に空白頁面が含まれている場合には、当該複数のサブシートのうち空白頁面を有するサブシートを搬送路から除去する第２の裁断部と、前記第２の裁断部からサブシートを受け取るたびに、前記第２の方向に直角な方向に順次送り出す第２の方向転換部と、前記第２の方向転換部から受け取ったサブシートを１枚づつ順次積み重ねて、丁合された冊子１冊分のサブシートの組の積層体を形成するスタック部と、前記給紙部、及び前記第１及び第２の裁断部、及び前記第１及び第２の方向転換部、及び前記スタック部の動作を制御する制御部と、前記第２の裁断部の搬送路中、又は前記第２の方向転換部のサブシート入口に配置され、短冊状のシート部分又はサブシートの配列の通過を検出する第１のセンサーと、前記第２の方向転換部の出口に配置され、サブシートの通過を検出する第２のセンサーと、を備え、前記制御部は、前記給紙部の給紙動作の開始前に、前段の印刷装置から、シート１枚当たりの頁面数、及び１の短冊状のシート部分が有する頁面数に関する初期情報を受信するとともに、前記給紙部の給紙動作の際に、その都度、給紙されるシートが空白頁面を含むか否か、及び空白頁面のシート上の位置に関するシート情報を前記印刷装置から受信し、前記初期情報及び前記シート情報に基づき、給紙されるシートから形成されるべき各短冊状のシート部分の空白頁面を除く頁面の数を算出し、前記第１のセンサーから検出信号を受信するたびに、前記第２のセンサーからの検出信号に基づいて前記第２のセンサーを通過するサブシートの数をカウントし、当該カウント値が対応する前記短冊状のシート部分の空白頁面を除く頁面の数と一致しないときは、前記給紙部、及び前記第１及び第２の裁断部、及び前記第１及び第２の方向転換部、及び前記スタック部の動作を停止させるものであることを特徴とするシート裁断及び丁合装置が提供される。
【発明の効果】
【０００９】
本発明によれば、給紙部によって、１の冊子又は２以上の同一冊子の頁面が面付け印刷された複数枚のシートが積み重ねられたものからなるシートスタックから順次シートが１枚づつ供給され、第１の裁断部によって、当該シートが頁面の配列に沿った第１の方向に搬送されつつ当該方向に沿って裁断されて、それぞれ頁面が頁順に第１の方向に一列に配列された複数の短冊状のシート部分に分割される。次いで、第１の方向転換部によって、短冊状のシート部分が１枚づつ第１の方向に直角な第２の方向に送り出され、第２の裁断部によって、当該短冊状のシート部分が第２の方向に搬送されつつ当該方向に沿って裁断されて、第２の方向に直角な方向に配列されかつそれぞれ１の頁面を有する複数のサブシートに分割され、そして、第２の方向転換部によって、短冊状のシート部分毎に、それを構成するサブシートが第２の方向に直角な方向、すなわち、サブシートの配列方向に順次送り出され、それらのサブシートが、スタック部において１枚づつ順次積み重ねられることにより、丁合された冊子１冊分のサブシートの組の積層体が形成される。
こうして、連続的にかつ高速処理される単一の工程において、面付け印刷されたシートの組から丁合された冊子の状態の用紙束を形成することができ、生産効率が大幅に上昇する。
【００１０】
また、冊子の製造においては、面付け印刷されたシートから折り丁を形成し、折り丁から製本を行う場合がある点に鑑み、通常、面付け数は８の倍数（８面付け、１６面付け、３２面付け等）に設定される。そして、冊子の最終頁面を有するシートにおいて、頁面数が所定の面付け数に満たない場合には、当該最終頁面の後ろに１又は複数の空白頁面が付加され、空白頁面を含めて当該面付け数になるように印刷がなされる。
そのため、本発明によれば、第２の裁断部によって、各短冊状のシート部分が複数のサブシートに分割されるとともに、当該複数のサブシートのうち空白頁面を有するサブシートが搬送路から除去される。
【００１１】
そして、本発明によれば、制御部は、給紙部の給紙動作の開始前に、前段の印刷装置から受信した初期情報と、給紙部の給紙動作の際に、その都度、当該印刷装置から受信するシート情報とに基づき、給紙されたシートから形成されるべき各短冊状のシート部分の空白頁面を除く頁面の数を算出し、短冊状のシート部分が第１のセンサーによって検出されるたびに、第２のセンサーからの検出信号に基づいて第２のセンサーを通過するサブシートの数をカウントし、当該カウント値が対応する短冊状のシート部分の空白頁面を除く頁面の数と一致しないときは、装置全体の動作を停止させる。それによって、上記のようにシートが空白頁面を有する場合も含めて、シートの裁断及び丁合処理が連続的に高速でなされる場合であっても、丁合エラーを確実に検出し、そして、丁合エラーの発生時には、装置を瞬時に停止させることで、装置の再始動までの作業時間を短縮できる。
【図面の簡単な説明】
【００１２】
【図１】本発明の１実施例によるシート裁断及び丁合装置の全体構成を示す平面図である。
【図２】図１に示したシート裁断及び丁合装置によって処理される面付け印刷されたシートの具体例を示す平面図である。
【発明を実施するための形態】
【００１３】
以下、添付図面を参照して本発明の好ましい実施例を説明する。
図１は、本発明の１実施例によるシート裁断及び丁合装置の全体構成を示す平面図である。
図１を参照して、本発明のシート裁断及び丁合装置は、冊子の頁面が頁順に縦横方向に面付け印刷されたシートＳ０が複数枚積み重ねられたものからなるシートスタックＰ０から、順次シートＳ０を１枚づつ供給する給紙部１を備えている。
【００１４】
給紙部１の後段には第１の裁断部２が配置され、第１の裁断部２は、給紙部１から供給されたシートＳ０を、当該シートＳ０の縦方向又は横方向に平行な（頁面の配列方向に沿った）第１の方向（矢印Ｘ参照）に搬送しつつ、それぞれ頁面が頁順に第１の方向に一列に並んで配置された複数の短冊状に裁断する。
【００１５】
第１の裁断部２の後段には、第１の方向転換部３が配置され、第１の方向転換部３は、第１の裁断部２から、短冊状に裁断されたシートＳ１を受け取り、短冊状のシート部分Ｓ２を１枚づつ第１の方向に直角な第２の方向（矢印Ｙ参照）に送り出す。
【００１６】
第１の方向転換部３の後段には、第２の裁断部４が配置されている。第２の裁断部４は、第１の方向転換部３から受け取った短冊状のシート部分Ｓ２を、第２の方向に搬送しつつ当該第２の方向に沿って裁断し、それぞれ１の頁面を有しかつ第２の方向に直角な方向（矢印Ｚ参照）に配列された複数のサブシートＳ３に分割するシート裁断ユニット４ａを備えている。さらに、第２の裁断部４は、シート裁断ユニット４ａの下流側にこれから間隔をあけて配置され、シート裁断ユニット４ａから送り出された、第２の方向に直角な方向に配列された複数のサブシートＳ３のうち、空白頁面を有するサブシートＳ３を搬送路から除去するサブシート選別ユニット４ｂを備えている。
【００１７】
第２の裁断部４の後段には、第２の方向転換部５が配置され、第２の方向転換部５は、第２の裁断部４から複数のサブシートＳ３に分割された短冊状のシート部分Ｓ２を受け取るたびに、それらのサブシートＳ３を第２の方向に直角な方向（第１の方向に平行な方向；矢印Ｚ参照）に１枚づつ順次送り出す。
【００１８】
第２の方向転換部５の後段には搬送部５ａを間に挟んでスタック部６が配置され、スタック部６は、第２の方向転換部５から、搬送部５ａを経て受け取ったサブシートＳ３を１枚づつ順次積み重ねて、丁合された冊子１冊分のサブシートＳ３の組の積層体Ｐを形成する。なお、この実施例では、搬送部５ａが第２の方向転換部５及びスタック部６間に配置されるが、搬送部５ａは必要に応じて備えられ、第２の方向転換部５の後段にスタック部６が直結される構成も可能である。
給紙部１、及び第１及び第２の裁断部２、４、及び第１及び第２の方向転換部３、５、及び搬送部５ａ、及びスタック部６の動作が制御部７によって制御される。
【００１９】
また、本発明のシート裁断及び丁合装置は、第２の裁断部４の搬送路中又は第２の方向転換部４のサブシート入口（この実施例では、第２の裁断部４の搬送路中であって、シート裁断ユニット４ａ及びサブシート選別ユニット４ｂ間）に配置され、サブシートＳ３の配列の通過を検出する第１のセンサー８と、第２の方向転換部５の出口に配置され、当該出口から第２の方向に直角な方向に順次送り出される個々のサブシートの通過を検出する第２のセンサー９を備えている。
なお、第１のセンサー８は、サブシートＳ３の配列の通過を検出しさえすればよく、当該配列を構成する個々のサブシートＳ３の通過を検出する必要はない。
【００２０】
制御部７は、給紙部１の給紙動作の開始前に、前段の印刷装置（図示はしない）から、シートＳ０１枚当たりの頁面数及び１の短冊状のシート部分Ｓ２が有する頁面数に関する初期情報を受信するとともに、給紙部１の給紙動作の際に、その都度、給紙されるシートＳ０が空白頁面を含むか否か、及び空白頁面のシートＳ０上の位置に関するシート情報を印刷装置から受信する。
【００２１】
シート情報は、この実施例では、装置が処理可能な最大面付け数（１シート当たりの最大頁面数）に対応するビット数の信号から構成され、空白頁面に対応するビットが１、それ以外の頁面に対応するビットが０となるように予め設定されている。
これを具体的に説明すると、今、装置の処理可能な最大面付け数が３２（３２分割まで可能）であれば、シート情報は３２ビットの信号から構成され、そして、例えば、図２（Ａ）に示すように、各シートＳ０に８面付け印刷がなされるとともに、冊子１冊が１６頁からなっていてどのシートＳ０にも空白頁面が付加されない場合には（この場合、シートＳ０は、まず、第１の裁断部２によって横方向に裁断（２分割）された後、第２の裁断部４によって縦方向に裁断（４分割）される）、
１枚目のシート（ＩＤ＝１）のシート情報：00000000 00000000 00000000 00000000
２枚目のシート（ＩＤ＝２）のシート情報：00000000 00000000 00000000 00000000
３枚目のシート（ＩＤ＝３）のシート情報：00000000 00000000 00000000 00000000
４枚目のシート（ＩＤ＝４）のシート情報：00000000 00000000 00000000 00000000
・・・
となる。
【００２２】
また、図２（Ｂ）に示すように、各シートＳ０に８面付け印刷がなされるとともに、冊子１冊が１０頁からなっていて偶数番目のシートＳ０に空白頁面が付加される場合には（この場合も、シートＳ０は、まず、第１の裁断部２によって横方向に裁断（２分割）された後、第２の裁断部４によって縦方向に裁断（４分割）される）、シート情報は、
１枚目のシート（ＩＤ＝１）のシート情報：00000000 00000000 00000000 00000000
２枚目のシート（ＩＤ＝２）のシート情報：00111111 00000000 00000000 00000000
３枚目のシート（ＩＤ＝３）のシート情報：00000000 00000000 00000000 00000000
４枚目のシート（ＩＤ＝４）のシート情報：00111111 00000000 00000000 00000000
・・・
となる。
【００２３】
また、図２（Ａ）（Ｂ）に示した例では、いずれも、制御部７は、初期情報として、シート１枚当たりの頁面数＝８と、短冊状のシート部分の頁面数＝４との情報を受信する。
【００２４】
そして、制御部７は、給紙部１の給紙動作の際に、その都度、初期情報及びシート情報に基づいて、給紙されるシートＳ０から形成されるべき短冊状のシート部分の空白頁面を除く頁面の数を算出し、第１のセンサー８から検出信号を受信するたびに、第２のセンサー９からの検出信号に基づいて第２のセンサー９を通過するサブシートＳ３の数をカウントして、当該カウント値が前記短冊状のシート部分の空白頁面を除く頁面の数と一致しないときは、給紙部１、及び第１及び第２の裁断部２、４、及び第１及び第２の方向転換部３、５、及び搬送部５ａ、及びスタック部６の動作を停止させる。
【００２５】
これを図２に基づいて説明すると、図２（Ａ）に示した場合には、制御部７は、初期情報（シート１枚当たりの頁面数＝８）に基づき、給紙動作の開始毎に受信する３２ビット信号のうちの最初の８ビットのみをシート情報として受け取る。さらに、制御部７は、初期情報（短冊状のシート部分の頁面数＝４）に基づき、８ビットのシート情報のうちの上位４ビットを、第１の裁断部２によるシートＳ０の横方向２分割後の第１の短冊状のシート部分Ｓ２に関するシート情報として、下位４ビットを、第１の裁断部２によるシートＳ０の横方向２分割後の第２の短冊状のシート部分Ｓ２に関するシート情報として用いる。
【００２６】
今、すべてのシートＳ０について、
第１の短冊状のシート部分のシート情報：0000
第２の短冊状のシート部分のシート情報：0000
であるから、制御部７は、給紙部１の給紙動作の際に、その都度、給紙されるシートＳ０から形成されるべき第１及び第２の短冊状のシート部分Ｓ２の空白頁面を除く頁面の数が４であると算出する。
【００２７】
そして、制御部７は、第２の裁断部４のサブシート選別部４ｂを動作させることがなく、よって、サブシート選別部４ｂによって搬送路から除去されるサブシートＳ３はない。
さらに、制御部７は、第１のセンサー８から検出信号を受信するたびに、第２のセンサー９からの検出信号に基づいてこのセンサー９を通過するサブシートＳ３の数をカウントし、当該カウント値が対応する短冊状のシート部分Ｓ２の空白頁面を除く頁面の数（＝４）と一致しないときは、給紙部１、及び第１及び第２の裁断部２、４、及び第１及び第２の方向転換部３、５、及び搬送部５ａ、及びスタック部６の動作を停止させる。
【００２８】
一方、図２（Ｂ）に示した場合には、制御部７は、初期情報（シート１枚当たりの頁面数＝８）に基づき、給紙動作の開始毎に受信する３２ビット信号のうちの最初の８ビットのみをシート情報として受け取る。さらに、制御部７は、初期情報（短冊状のシート部分の頁面数＝４）に基づき、８ビットのシート情報のうちの上位４ビットを、第１の裁断部２によるシートＳ０の横方向２分割後の第１の短冊状のシート部分Ｓ２に関するシート情報として、下位４ビットを、第１の裁断部２によるシートＳ０の横方向２分割後の第２の短冊状のシート部分Ｓ２に関するシート情報として用いる。
【００２９】
今、奇数番目のシート（ＩＤ＝１、３、・・・）については、
第１の短冊状のシート部分のシート情報：0000
第２の短冊状のシート部分のシート情報：0000
であるから、制御部７は、給紙部１の給紙動作の際に、その都度、給紙されるシートＳ０から形成されるべき第１及び第２の短冊状のシート部分Ｓ２の空白頁面を除く頁面の数が４であると算出する。
また、偶数番目のシート（ＩＤ＝２、４、・・・）については、
第１の短冊状のシート部分のシート情報：0011
第２の短冊状のシート部分のシート情報：1111
であるから、制御部７は、給紙部１の給紙動作の際に、その都度、給紙されるシートＳ０から形成されるべき第１及び第２の短冊状のシート部分Ｓ２の空白頁面を除く頁面の数が、それぞれ、
第１の短冊状のシート部分：２
第２の短冊状のシート部分：０
であると算出する。
【００３０】
こうして、奇数番目のシート（ＩＤ＝１、３、・・・）が給紙されたときは、制御部７は第２の裁断部４のサブシート選別部４ｂを動作させることがなく、よって、サブシート選別部４ｂによって搬送路から除去されるサブシートＳ３はない。
そして、制御部７は、第１のセンサー８から検出信号を受信するたびに、第２のセンサー９からの検出信号に基づいてこのセンサー９を通過するサブシートＳ３の数をカウントし、当該カウント値が４に一致しないときは、給紙部１、及び第１及び第２の裁断部２、４、及び第１及び第２の方向転換部３、５、及び搬送部５ａ、及びスタック部６の動作を停止させる。
【００３１】
一方、偶数番目のシート（ＩＤ＝２、４、・・・）が給紙されたときは、まず、第１の短冊状のシート部分Ｓ２（サブシートＳ３の配列）が第２の裁断部４の第１のセンサー８によって検出されると、制御部７は、サブシート選別ユニット４ｂを動作させて、当該サブシートＳ３の後ろ２列を搬送路から除去する。
さらに、制御部７は、第２のセンサー９の検出信号に基づいてサブシートＳ３の数をカウントし、当該カウント値が２に一致しないときは、給紙部１、及び第１及び第２の裁断部２、４、及び第１及び第２の方向転換部３、５、及び搬送部５ａ、及びスタック部６の動作を停止させる。
【００３２】
次いで、第１の短冊状のシート部分Ｓ２（サブシートＳ３の配列）が第２の裁断部４の第１のセンサー８によって検出されると、制御部７は、サブシート選別ユニット４ｂを動作させて、当該サブシートＳ３のすべてを搬送路から除去する。
さらに、制御部７は、第２のセンサー９の検出信号に基づいてサブシートＳ３の数をカウントし、当該カウント値が０に一致しないときは、給紙部１、及び第１及び第２の裁断部２、４、及び第１及び第２の方向転換部３、５、及び搬送部５ａ、及びスタック部６の動作を停止させる。
【００３３】
こうして、本発明によれば、頁面が頁順に面付け印刷された複数枚のシートが積み重ねられたものからなるシートスタックから順次シートを１枚づつ供給し、当該シートを頁面の配列に沿った第１の方向に搬送しつつ当該方向に沿って裁断して、それぞれ頁面が頁順に第１の方向に一列に配列された複数の短冊状のシート部分に分割し、次いで、短冊状のシート部分を１枚づつ第１の方向に直角な第２の方向に送り出し、そして、当該短冊状のシート部分を第２の方向に搬送しつつ当該方向に沿って裁断して、第２の方向に直角な方向に配列されかつそれぞれ１の頁面を有する複数のサブシートに分割し、さらに、短冊状のシート部分毎に、それを構成するサブシートを第２の方向に直角な方向、すなわち、サブシートの配列方向に順次送り出し、それらのサブシートを１枚づつ順次積み重ねることによって、丁合された冊子１冊分のサブシートの組の積層体を形成するので、連続的にかつ高速処理される単一の工程において、面付け印刷されたシートの組から丁合された冊子の状態の用紙束を形成することができ、生産効率が大幅に上昇する。
【００３４】
また、本発明によれば、給紙部１の給紙動作が開始される毎に、初期情報及びシート情報に基づき、給紙されたシートから形成されるべき各短冊状のシート部分の空白頁面を除く頁面の数を算出し、第１のセンサーによって短冊状部分又はサブシートの配列を検出した後、第２のセンサーからの検出信号に基づいてサブシートの数をカウントし、当該カウント値が対応する前記短冊状のシート部分の空白頁面を除く頁面の数と一致しないときは、装置全体の動作を停止させる。それによって、シートの裁断及び丁合処理が連続的に高速でなされる場合であっても、丁合エラーを確実に検出し、そして、丁合エラーの発生時には、装置を瞬時に停止させることで、装置の再始動までの作業時間を短縮することができる。
【符号の説明】
【００３５】
１  給紙部
２  第１の裁断部
３  第１の方向転換部
４  第２の裁断部
５  第２の方向転換部
５ａ  搬送部
６  スタック部
７  制御部
８  第１のセンサー
９  第２のセンサー
Ｐ０  シートスタック
Ｐ１  サブシートの集積体
Ｓ０  シート
Ｓ１  短冊状に裁断されたシート
Ｓ２  短冊状のシート部分
Ｓ３  サブシート
Ｘ  第１の方向
Ｙ  第２の方向
Ｚ  第２の方向に直角な方向
【図１】
2014201440.tif 000003
【図２】
2014201440.tif 000004